(57)【要約】【課題】テレビジョン放送局の放送を放送エリアごとにネットワークを介して再送信する際に各放送エリアの番組がそれぞれの放送局の放送する番組と整合性を保つかを効率的に判別できるテレビジョン放送再送信監視システム、方法および制御プログラムを得る。【解決手段】集中監視部１０４は、各地の放送局の放送エリアにそれぞれ配置したアンテナ１０２から得られる放送エリア単位の放送映像と、ＩＰ網１２１に再送信されたそれぞれの放送エリア単位の送出映像をマルチビューワ１１１に供給して、モニタ１２６に放送エリアごとに放送映像と送出映像を対比して表示する。オペレータはモニタ１２６に集中表示されたこれらの映像をチェックすることで、映像の整合性を簡単にチェックすることができる。整合しない画像の放送エリアに対しては警告を発することも可能である。【選択図】図１
2009284184.tif 000002
【特許請求の範囲】
【請求項１】
それぞれ独自に番組を編成してテレビジョン放送を行うテレビジョン放送局の放送エリアごとに配置された放送局別受信アンテナを用いて、これらのテレビジョン放送局の放送する映像を放送映像データとしてリアルタイムに受信する放送映像データ受信手段と、
前記テレビジョン放送局ごとのテレビジョン放送と同一の番組内容をテレビジョン放送の再送信による前記放送エリアごとの送出映像データとしてネットワークを経由してリアルタイムに受信する送出映像データ受信手段と、
前記放送映像データ受信手段で受信された放送映像データと前記送出映像データ受信手段で受信された送出映像データをそれぞれ放送エリアごとに対比させる形で特定場所にまとめて視覚的に表示する映像表示手段
とを具備することを特徴とするテレビジョン放送再送信監視システム。
【請求項２】
前記送出映像データ受信手段で受信した前記放送エリアごとの送出映像データのうちの複数が共通のネット番組を同一の時間帯で再送信されたものであるときこれを示すネット番組再送信データを事前に受信するネット番組再送信データ受信手段を備え、
このネット番組再送信データ受信手段が前記ネット番組再送信データを受信したとき、前記映像表示手段は複数のテレビジョン放送局がネット番組を同一時間帯で放送するときのそれらの放送映像データと送出映像データを統合して表示することを特徴とする請求項１記載のテレビジョン放送再送信監視システム。
【請求項３】
前記テレビジョン放送は地上デジタル放送であり、前記送出映像データ受信手段は前記地上波デジタル放送のＩＰ再送信システムから送出映像データを受信する手段であることを特徴とする請求項１記載のテレビジョン放送再送信監視システム。
【請求項４】
前記映像表示手段は、前記放送映像データと前記送出映像データのいずれか一方の処理を時間的に遅延させてこれら双方の映像データによる表示内容の時間軸上でのずれを解消する遅延手段を具備することを特徴とする請求項１記載のテレビジョン放送再送信監視システム。
【請求項５】
前記遅延手段は、前記放送映像データと送出映像データあるいはそれぞれに対応する音声データを放送局単位に比較し、時間的にこれらの差分が最小限となるように遅延時間を調整する手段であることを特徴とする請求項４記載のテレビジョン放送再送信監視システム。
【請求項６】
前記遅延手段が予め定めた遅延時間の範囲内で遅延時間を調整できない放送局の番組に対して前記放送映像データと送出映像データが一致しないことを示す警報通知を出力する警報通知手段を具備することを特徴とする請求項４記載のテレビジョン放送再送信監視システム。
【請求項７】
それぞれ独自に番組を編成してテレビジョン放送を行うテレビジョン放送局の放送エリアごとに配置された放送局別受信アンテナを用いて、これらのテレビジョン放送局の放送する映像を放送映像データとしてリアルタイムに受信する放送映像データ受信ステップと、
前記テレビジョン放送局ごとのテレビジョン放送と同一の番組内容をテレビジョン放送の再送信による前記放送エリアごとの送出映像データとしてネットワークを経由してリアルタイムに受信する送出映像データ受信ステップと、
前記放送映像データ受信ステップで受信した放送映像データと前記送出映像データ受信ステップで受信された送出映像データをそれぞれ放送エリアごとに対比させる形で特定場所にまとめて視覚的に表示する映像表示ステップ
とを具備することを特徴とするテレビジョン放送再送信監視方法。
【請求項８】
コンピュータに、
それぞれ独自に番組を編成してテレビジョン放送を行うテレビジョン放送局の放送エリアごとに配置された放送局別受信アンテナを用いて、これらのテレビジョン放送局の放送する映像を放送映像データとしてリアルタイムに受信する放送映像データ受信処理と、
前記テレビジョン放送局ごとのテレビジョン放送と同一の番組内容をテレビジョン放送の再送信による前記放送エリアごとの送出映像データとしてネットワークを経由してリアルタイムに受信する送出映像データ受信処理と、
前記放送映像データ受信処理で受信された放送映像データと前記送出映像データ受信処理で受信された送出映像データをそれぞれ放送エリアごとに対比させる形で特定場所にまとめて視覚的に表示する映像表示処理
とを実行させることを特徴とするテレビジョン放送再送信監視制御プログラム。
【発明の詳細な説明】
【技術分野】
【０００１】
本発明は、テレビジョン放送の再送信の状態を監視するテレビジョン放送再送信監視システム、テレビジョン放送再送信監視方法およびテレビジョン放送再送信監視制御プログラムに係わり、特にネットワークを使用したテレビジョン放送の再送信が正常に行われているかを監視するテレビジョン放送再送信監視システム、テレビジョン放送再送信監視方法およびテレビジョン放送再送信監視制御プログラムに関する。
【背景技術】
【０００２】
地上波デジタル放送は、テレビジョン放送を従来のアナログ方式に代わってデジタル放送で行うものであり、所定の期限を設けてその切り替えが全国的に実施されている。
【０００３】
従来から、それぞれ独自に番組を編成してテレビジョン放送を行うテレビジョン放送局（以下、適宜、放送局という。）では各種の不具合が発生する場合に備えて放送される映像の監視を行っている。従来のアナログ方式のテレビジョン放送の場合、映像の監視は自局の送出した電波をチェックするという放送局側の作業として行っていた。地上波デジタル放送に移行すると、放送された番組の内容をトランスポートパケット（Transport Packet ;TS packet）形式で蓄積することができる。そこで、受信装置側に受信した番組をトランスポートパケット形式で蓄積する番組記録手段を用意しておくと、この受信装置側で番組を記録させておきその装置の動作状態を後で収集することができる。したがって、受信装置側に不具合が発生した場合に、放送局側がこれらのデータを収集して解析することが、本発明に関連する第１の関連技術として試みられている（たとえば特許文献１参照）。
【０００４】
ところで、地上デジタル放送の視聴可能世帯を全国で１００パーセントにすることは現実的に困難であると言われている。そこで、いわゆる難視聴世帯への対策として地上波デジタル放送のＩＰ再送信システムが提案されている。
【０００５】
地上波デジタル放送のＩＰ再送信システムとは、地上波デジタル放送と同じコンテンツをＩＰ（Internet Protocol）ネットワークを用いて、対象となる世帯にリアルタイムに配信するものである。ただし、各地域に民間放送局が存在しているので、ＩＰ再送信システムもそれぞれの民間放送局の放送エリアを単位として行うようになっている。
【特許文献１】特開２００２−３３５４６１号公報（第０００６段落、第０００７段落、第００４４段落〜第００４６段落、図１０）
【発明の開示】
【発明が解決しようとする課題】
【０００６】
したがって、ＩＰ再送信システムでは、全国の各放送エリアごとにその放送エリアの放送局が独自に送出した映像としての地域送出映像が送信される一方で、民間放送のテレビ番組を複数の放送局で一緒に放送するネット番組の放送時には対応する複数の放送局の放送エリアで共通のネット番組送出映像がＩＰ網に送出されることになる。このように、ＩＰ再送信システムでは、全国の各放送エリア単位でＩＰ再送信が行われる番組内容が複雑に変化することになる。このため、それぞれの放送エリアに番組が送出されているかどうかの監視自体は従来と同様に行えばよいが、ＩＰ再送信システムではこれに加えて、放送エリアごとに実際に各放送局から電波を使用して放送されている番組と一致している番組が送出されているかという番組の整合性の監視が必要となる。ＩＰ再送信システムの運営側でこのような放送エリアごとの番組内容の整合性のチェックを集中的に行おうとすると、所定数の放送エリアごとに担当者を定めて、人海戦術でこれを行う必要があった。
【０００７】
すなわち、それぞれの担当者は、放送エリアごとのテレビジョンの番組表を所持して、担当する放送エリアごとにＩＰ再送信システムで送出される映像（以下、送出映像という。）が、その放送エリアに予定された放送局の放送する映像（以下、放送映像という。）と一致するかを確認する必要があった。ところが、番組表には番組の内容が記述されているだけである。したがって、たとえばＡ放送エリアのある時間帯の番組が「ローカルニュース」であっても、担当者はそれがＡ放送エリアの放送局の放送映像と一致する送出映像としての「ローカルニュース」か、別のＢ放送エリアの放送局の放送映像と一致する送出映像としての別の「ローカルニュース」であるかを即時に判別することは困難であった。同様にネット番組の放送時であっても、モニタ画面を短い時間見ただけでは、それが所望の系列のネット番組であるか、あるいは他の系列のネット番組であるかの判断に迷う場合が多い。このため、放送エリアごとの担当者を定めて複数の人数で全放送エリアの映像の監視を行ったとしても、番組の整合性をチェックする上で正確性に欠けるという問題があった。
【０００８】
そこで本発明の目的は、テレビジョン放送局の放送を放送エリアごとにネットワークを介して再送信する際に各放送エリアの番組がそれぞれの放送局の放送する番組と整合性を保つかを効率的に判別することのできるテレビジョン放送再送信監視システム、テレビジョン放送再送信監視方法およびテレビジョン放送再送信監視制御プログラムを提供することにある。
【課題を解決するための手段】
【０００９】
本発明では、（イ）それぞれ独自に番組を編成してテレビジョン放送を行うテレビジョン放送局の放送エリアごとに配置された放送局別受信アンテナを用いて、これらのテレビジョン放送局の放送する映像を放送映像データとしてリアルタイムに受信する放送映像データ受信手段と、（ロ）前記したテレビジョン放送局ごとのテレビジョン放送と同一の番組内容をテレビジョン放送の再送信による前記した放送エリアごとの送出映像データとしてネットワークを経由してリアルタイムに受信する送出映像データ受信手段と、（ハ）前記した放送映像データ受信手段で受信された放送映像データと前記した送出映像データ受信手段で受信された送出映像データをそれぞれ放送エリアごとに対比させる形で特定場所にまとめて視覚的に表示する映像表示手段とをテレビジョン放送再送信監視システムに具備させる。
【００１０】
また、本発明では、（イ）それぞれ独自に番組を編成してテレビジョン放送を行うテレビジョン放送局の放送エリアごとに配置された放送局別受信アンテナを用いて、これらのテレビジョン放送局の放送する映像を放送映像データとしてリアルタイムに受信する放送映像データ受信ステップと、（ロ）前記したテレビジョン放送局ごとのテレビジョン放送と同一の番組内容をテレビジョン放送の再送信による前記した放送エリアごとの送出映像データとしてネットワークを経由してリアルタイムに受信する送出映像データ受信ステップと、（ハ）前記した放送映像データ受信ステップで受信した放送映像データと前記した送出映像データ受信ステップで受信された送出映像データをそれぞれ放送エリアごとに対比させる形で特定場所にまとめて視覚的に表示する映像表示ステップとをテレビジョン放送再送信監視方法に具備させる。
【００１１】
更に本発明では、コンピュータに、テレビジョン放送再送信監視制御プログラムとして、（イ）それぞれ独自に番組を編成してテレビジョン放送を行うテレビジョン放送局の放送エリアごとに配置された放送局別受信アンテナを用いて、これらのテレビジョン放送局の放送する映像を放送映像データとしてリアルタイムに受信する放送映像データ受信処理と、（ロ）前記したテレビジョン放送局ごとのテレビジョン放送と同一の番組内容をテレビジョン放送の再送信による前記した放送エリアごとの送出映像データとしてネットワークを経由してリアルタイムに受信する送出映像データ受信処理と、（ハ）前記した放送映像データ受信処理で受信された放送映像データと前記した送出映像データ受信処理で受信された送出映像データをそれぞれ放送エリアごとに対比させる形で特定場所にまとめて視覚的に表示する映像表示処理とを実行させることを特徴としている。
【発明の効果】
【００１２】
以上説明したように本発明によれば、それぞれの放送エリアに実際に配置されている放送局別受信アンテナから得られる放送映像データを、ネットワークを経由して再送信されるこれらの放送エリアごとの送出映像データと放送エリア単位で特定場所にまとめて視覚的に表示することにしたので、単に番組が間違いなく再送信されているかだけでなく、ある放送エリアで放送局の不具合によって映像が送出されていないような事態の発生に対しても、これを検出して必要な対策を採ることができることになる。
【発明を実施するための最良の形態】
【００１３】
次に本発明を一実施の形態と共に説明する。
【００１４】
図１は本発明の一実施の形態における放送波再送信システム集中監視装置の構成の概要を表わしたものである。この放送波再送信システム集中監視装置１００は、全国各地の放送局がそれぞれ放送を行う地域限定エリアとしての放送エリアごとに最低１台ずつ、全体として第１〜第ＭのＴＳ（Transport Stream）チューナ１０１1〜１０１Mを配置している。第１〜第ＭのＴＳチューナ１０１1〜１０１Mは、それぞれに付属したアンテナ１０２1〜１０２Mによって、該当する放送エリアの地上波デジタル放送を直接受信するようになっている。第１〜第ＭのＴＳチューナ１０１1〜１０１Mの出力側には、専用線１０３1〜１０３Mの一端がそれぞれ接続されている。これらの専用線１０３1〜１０３Mの他端側は、集中監視部１０４内の第１〜第Ｍの放送受信デコーダ１０５1〜１０５Mの対応する入力側にそれぞれ接続されると共に、ＳＩ（Service Information）情報抽出装置１０６に入力されて、それぞれのＳＩ情報が抽出されるようになっている。
【００１５】
ＳＩ情報抽出装置１０６で抽出された第１〜第ＭのＳＩ情報１０７1〜１０７Mは、集中監視制御装置１０８に入力されて、ここでネット番組を制御するネット番組制御信号１０９が生成される。ネット番組制御信号１０９は１つの画面で複数の画像を見るための画面編集を行うマルチビューワ１１１の制御端子１１２に入力される。これにより、ネット番組が放送されている時間帯での画面分割の制御が、これ以外の時間帯の画面分割の制御と異なるようになっている。
【００１６】
マルチビューワ１１１は、第１〜第Ｍの放送受信入力端子１１３1〜１１３Mと、第１〜第ＭのＩＰ再送信入力端子１１４1〜１１４Mおよび画像出力端子１１５を備えている。第１〜第Ｍの放送受信デコーダ１０５1〜１０５Mから出力される復号された第１〜第Ｍの放送映像１１６1〜１１６Mは、第１〜第Ｍの放送受信入力端子１１３1〜１１３Mの対応するものに入力される。
【００１７】
また、集中監視部１０４にはＩＰ（Internet Protocol）を利用したネットワークとしてのＩＰ網１２１と接続された第１〜第ＭのＩＰ再送信デコーダ１２３1〜１２３Mが配置されている。第１〜第ＭのＩＰ再送信デコーダ１２３1〜１２３Mは、インターネット等のＩＰ網１２１から第１〜第ＭのＴＳチューナ１０１1〜１０１Mにそれぞれ対応する放送エリアの放送局の放送と同じＩＰ再送信用のコンテンツを抽出して送出映像を再生する。第１〜第ＭのＩＰ再送信デコーダ１２３1〜１２３Mから出力される第１〜第Ｍの送出映像１２４1〜１２４Mは、マルチビューワ１１１の第１〜第ＭのＩＰ再送信入力端子１１４1〜１１４Mの対応するものに入力される。マルチビューワ１１１の画像出力端子１１５はモニタ１２６に接続されており、全国の放送局の放送する放送画像およびＩＰ再送信によって得られた送出映像を監視対象映像１２５として入力し、マルチ画面に各映像を対比して表示するようになっている。モニタ１２６を監視するオペレータは、放送エリア単位でこれら放送映像と送出映像をチェックすることになる。
【００１８】
今、説明を簡単にするために、全国が第１〜第４の合計４つの放送エリア（地域）に分かれているものとし、それぞれの放送エリアに４つずつの放送局（Ａ〜Ｄ）、（Ｅ〜Ｈ）、（Ｉ〜Ｌ）、（Ｍ〜Ｐ）が存在するものとする。この場合、第１〜第ＭのＴＳチューナ１０１1〜１０１M等の回路装置で表わした符号Ｍは「１６」となる。
【００１９】
図２は、各放送局がネット番組を放送していない時間帯としての通常の時間帯における放送波再送信システム集中監視装置の動作例を表わしたものである。この通常の時間帯では、図１に示した集中監視制御装置１０８からネット番組制御信号１０９がマルチビューワ１１１に入力されていない。したがって、マルチビューワ１１１は第１〜第Ｍの放送映像１１６1〜１１６Mと第１〜第Ｍの送出映像１２４1〜１２４Mを入力して、これらを対応する放送局ごとに隣接させた画像からなる監視対象映像１２５としてマルチ画像表示を行うことになる。
【００２０】
このマルチ画像表示を行うとき、モニタ１２６は太線１３１で区画した４つの表示領域に表示を分割し、これらを第１〜第４の放送エリアに割り振っている。そして、図で左上に位置する第１の放送エリアには、第１の放送エリアの放送局Ａ（これを「第１地域Ａ局」のように表示。以下同様。）、第１の放送エリアの放送局Ｂ（第１地域Ｂ局）、第１の放送エリアの放送局Ｃ（第１地域Ｃ局）、第１の放送エリアの放送局Ｄ（第１地域Ｄ局）の４つについて、それぞれの送出映像と放送映像を対比して表示するようにしている。また、図で右上に位置する第２の放送エリアには、第２の放送エリアの放送局Ｅ（第１地域Ｅ局）、第２の放送エリアの放送局Ｆ（第２地域Ｆ局）、第２の放送エリアの放送局Ｇ（第２地域Ｇ局）、第２の放送エリアの放送局Ｈ（第２地域Ｈ局）の４つについて、それぞれの送出映像と放送映像を対比して表示するようにしている。更に、図で左下に位置する第３の放送エリアには、第３の放送エリアの放送局Ｉ（第３地域Ｉ局）、第３の放送エリアの放送局Ｊ（第３地域Ｊ局）、第３の放送エリアの放送局Ｋ（第３地域Ｋ局）、第３の放送エリアの放送局Ｌ（第３地域Ｌ局）の４つについて、それぞれの送出映像と放送映像を対比して表示するようにしている。更にまた、図で右下に位置する第４の放送エリアには、第４の放送エリアの放送局Ｍ（第４地域Ｍ局）、第４の放送エリアの放送局Ｎ（第４地域Ｎ局）、第４の放送エリアの放送局Ｏ（第４地域Ｏ局）、第４の放送エリアの放送局Ｐ（第４地域Ｐ局）の４つについて、それぞれの送出映像と放送映像を対比して表示するようにしている。
【００２１】
この結果、オペレータは同一放送エリアの同一放送局に関する隣り合った２つの画像としての送出映像と放送映像が同一のものであるか否かを単純にチェックするだけで、これらの番組内容が整合しているかどうかを簡単に判別することができる。なお、モニタ１２６に一度に表示する画像の分割数が多い場合には、複数画面に分割して時分割でこれらを表示するようにすればよい。また、各送出映像と放送映像については、それぞれに図示のような文字を表示したり、通し番号を付ける等の識別情報を併せて表示することで、整合が採れない放送局を簡単に特定することができる。
【００２２】
ところで、図２で説明した第１〜第４の放送エリアに属する４つずつの放送局（Ａ〜Ｄ）、（Ｅ〜Ｈ）、（Ｉ〜Ｌ）、（Ｍ〜Ｐ）が、それぞれの放送エリアで第１系列〜第４系列の４つの系列のいずれかに１つずつ割り当てられた系列放送局を構成しているものとする。具体的には次のようなものであるとする。
第１系列……放送局Ａ，Ｅ，Ｉ，Ｍ
第２系列……放送局Ｂ，Ｆ，Ｊ，Ｎ
第３系列……放送局Ｃ，Ｇ，Ｋ，Ｏ
第４系列……放送局Ｄ，Ｈ，Ｌ，Ｐ
【００２３】
このような場合、図２で示したモニタ１２６の画像のように各放送局（Ａ〜Ｐ）別に送出映像と放送映像を合計３２通り表示するようにしてもよいが、映像の整合性をチェックするだけであれば、同一の映像の重複表示を排除して、送出映像と放送映像を合計８通り表示することで足りる。ただし、ここでは第１系列〜第４系列の各ネット番組がすべて共通した時間帯で視聴されるものとする。
【００２４】
図３は、このような前提に立った場合の、各放送局がネット番組を放送している時間帯における放送波再送信システム集中監視装置の動作例を表わしたものである。集中監視制御装置１０８がネット番組制御信号１０９をマルチビューワ１１１に供給することで、モニタ１２６には４つの放送局（Ａ，Ｆ，Ｋ，Ｐ）の放送映像と、これらに対応する送出映像がそれぞれ対になって表示されることになる。したがって、分割されて表示される映像の数が減少した分、オペレータによる番組の整合のためのチェック作業が迅速かつ容易になる。各送出映像と放送映像については、それぞれに図示のような文字を表示したり、通し番号を付ける等の識別情報を併せて表示することで、整合が採れない放送局のグループを簡単に特定することができる。
【００２５】
もちろん、オペレータはネット番組制御信号１０９を図２で示したような非制御状態に一時的に切り替えたり、あるいはネット番組制御信号１０９を周期的にオン・オフするようにすることで、モニタ１２６を全放送局（Ａ〜Ｐ）に対応する表示（図２参照）と系列局単位の表示（図３参照）に切り替えることもできる。
【００２６】
図４は、各放送局がネット番組を放送している時間帯におけるモニタの表示の様子を示す他の例を表わしたものである。この例でモニタ１２６には、図３の場合と異なり送出映像と放送映像の数の総数に対して表示領域が均等に割り当てられている。この結果、図２に示したモニタ１２６の表示状態と比較すると、送出映像と放送映像の数の減少に応じて１つ１つの送出映像と放送映像の占める表示面積が増大する。これにより、映像のチェックや付加的に表示される文字情報の判読が容易になる。
【００２７】
次に番組内容に伴うモニタの表示に関する切替制御が行われる原理を説明する。
【００２８】
図５は、ＳＩ情報抽出装置で抽出されるＳＩ情報の構成を表わしたものである。ＳＩ情報１０７は、ＮＩＴ（Network Information Table）１４１、ＳＤＴ（Service Description Table）１４２、ＢＩＴ（Broadcaster Information Table）１４３およびＥＩＴ（Event Information Table）１４４から構成されている。ここで、ＮＩＴ１４１はチャンネル番号、変調方式、ガードインターバル等の送信するネットワークに関する情報である。ＳＤＴ１４２は、チャンネルの名称、各チャンネル（サービス）で送出されるＥＩＴ１４４の種類、デジタルコピー制御情報等の情報から構成されている。ＢＩＴ１４３は、放送局識別情報、系列情報、各ＳＩ情報１０７を示すテーブルの再送周期、ＳＩ情報１０７の掲載期間、ロゴ情報の伝送方法等の放送局のＳＩ送信情報から構成されている。したがって、ＢＩＴ１４３を基にして、どの放送エリアのどの放送局であるか、あるいは、どの系列のネット番組を放送するかといったことが分かることになる。ＥＩＴ１４４は、番組の名称や放送日時、放送内容等の番組に関連する情報から構成されている。
【００２９】
ＳＩ情報抽出装置１０６は、このような第１〜第ＭのＳＩ情報１０７1〜１０７Mを抽出して、これらを集中監視制御装置１０８に供給することになる。
【００３０】
図６は、集中監視制御装置の構成の概要を表わしたものである。集中監視制御装置１０８は、第１〜第ＭのＳＩ情報１０７1〜１０７Mを入力するＢＩＴ・ＥＩＴ抽出部１５１と、このＢＩＴ・ＥＩＴ抽出部１５１の抽出した抽出情報１５２を基にして系列別テーブルを作成する系列別テーブル作成部１５３と、この系列別テーブル作成部１５３によって作成された系列別テーブル情報１５４を格納し、必要に応じて更新する系列別テーブル情報格納部１５５と、現在の日時等の時計情報１５６を系列別テーブル格納部１５５の読み出しのために供給する時計回路１５７と、系列別テーブル情報格納部１５５から逐次、時計情報１５６に応じて読み出される最新の系列別テーブル情報１５８を入力することでネット番組制御信号１０９を生成するネット番組制御信号生成部１５９を備えている。
【００３１】
また、この集中監視制御装置１０８は、その全体制御を行うための制御部１６１を備えている。制御部１６１は、ＣＰＵ（Central Processing Unit）１６２とメモリ１６３を備えている。ＣＰＵ１６２は、メモリ１６３に格納された制御プログラムを実行して集中監視制御装置１０８の制御を行う。また、この制御プログラムを実行することによって、集中監視制御装置１０８を構成するＢＩＴ・ＥＩＴ抽出部１５１等の回路部品の少なくとも一部をソフトウェア的に実現することも可能である。
【００３２】
ところで、ＢＩＴ・ＥＩＴ抽出部１５１は、図５に示したＢＩＴ１４３ならびにＥＩＴ１４４を抽出することで、図１に示したアンテナ１０２1〜１０２Mの配置された第１〜第ＭのＴＳチューナ１０１1〜１０１Mの存在する各放送エリアにおける放送局情報、放送日、放送開始・放送終了時刻ならびに番組名称からなる放送スケジュール情報を抽出する。放送スケジュール情報は、たとえば８日間の情報としてＢＩＴ・ＥＩＴ抽出部１５１から抽出可能である。
【００３３】
図７は、系列別テーブル作成部で作成した系列別テーブル情報の一例を表わしたものである。図１および図６と共に説明する。
【００３４】
系列別テーブル情報１５４は、ネット番組の各系列（第１系列〜第４系列）と、各地の放送局（Ａ〜Ｐ）と、ネット番組の放送日と放送開始時刻と放送終了時刻および番組名称についての各欄を、各放送局の第１〜第ＭのＴＳチューナ１０１1〜１０１Mの受信結果によるＢＩＴ・ＥＩＴ抽出部１５１から得られた情報によって埋めていったものである。
【００３５】
系列別テーブル情報１５４は、系列別テーブル情報格納部１５５に格納される。ネット番組は、スポーツの中継の延長や重大事件の発生等の原因によって放送時間や放送される番組内容が変更される場合がある。したがって、系列別テーブル情報格納部１５５に格納された８日分の系列別テーブル情報１５４は必要により最新の情報に書き換えられる。時計回路１５７はオペレータがモニタ１２６による監視を行うタイミングに合わせて系列別テーブル情報格納部１５５に格納されている情報を所定の時間幅でスキャンして、該当する情報を系列別テーブル情報１５８として読み出す。この情報が、図７に示した系列別テーブル情報１５４と同一であると仮定して、ネット番組制御信号生成部１５９によるネット番組制御信号１０９の生成の様子を説明する。
【００３６】
図８は、ネット番組制御信号の生成処理の様子を表わしたものである。図１および図６と共に説明する。
【００３７】
まず制御部１６１は、全放送局Ａ〜Ｐの中から１つの放送局を指定する（ステップＳ２０１）。ここでは、これをアルファベット順に指定するものとすると、まず、ステップＳ２０１で放送局Ａが指定される。次に、制御部１６１は、モニタ１２６による今回の表示に関係する時間帯としての特定時間帯に、放送局Ａについてネット番組が存在するかを系列別テーブル情報１５８に関してチェックする（ステップＳ２０２）。ネット番組が存在する場合には（Ｙ）、その特定時間帯におけるこれらのネット番組について、放送開始と終了、番組名および放送局名（ここでは放送局Ａ）をメモリ１６３の所定の領域（以下、ネット番組制御信号生成領域という。）に登録する（ステップＳ２０３）。たとえば、特定時間帯が２００８年６月１０日の０時から２００８年６月１２日の０時直前までであるとする。放送局Ａは図７に示している範囲で第１系列のネット番組として、２００８年６月１０日の１０時から１１時直前まで「ａｂｃ」という番組を放送する予定である。そこでこの情報がネット番組制御信号生成領域に登録される。
【００３８】
次に、制御部１６１は２００８年６月１０日の１０時から１１時直前までという時間的に重複する「ａｂｃ」という同一のネット番組が他の放送局に存在する場合、その放送局名をネット番組制御信号生成領域に追加登録すると共に、系列別テーブル情報１５８からこの情報を削除する（ステップＳ２０４）。たとえば、図７に示した例では放送局Ｅの名前を２００８年６月１０日の１０時から１１時直前までの番組名称「ａｂｃ」に放送局Ａと共に登録すると共に、放送局Ｅに関するこの情報を系列別テーブル情報１５８から削除する。
【００３９】
放送局Ａについて特定された時間帯について同様のネット番組が他に存在する場合には、これらのネット番組についても同様の処理を行う。このようにして放送局Ａについての処理が終了したら、制御部１６１は全放送局Ａ〜Ｐの中でまだ同様の処理を行っていない放送局が存在するかをチェックする（ステップＳ２０５）。存在する場合には（Ｙ）、ステップＳ２０１に戻ってこれら残りの放送局の中から１つの放送局を指定する。
【００４０】
たとえばステップＳ２０１で放送局Ｂが指定されたとする。すると、これにより２００８年６月１０日の９時から１０時３０分直前までの番組名称「ｂｃｄ」という番組がネット番組制御信号生成領域に放送局Ｂの放送として登録される（ステップＳ２０３）。この例の場合、同一のネット番組が同一時間帯に存在しないものとすると、ステップＳ２０４の処理は行われずにステップＳ２０５に進む。
【００４１】
次のステップＳ２０１の処理で放送局Ｃが指定されたとする。すると、これにより２００８年６月１０日の１９時から２０時直前まで第２系列のネット番組として番組名称「ｃｄｅ」という番組がネット番組制御信号生成領域に放送局Ｃの放送として登録されることになる（ステップＳ２０３）。この例の場合、同一のネット番組が同一時間帯に放送局Ｇで存在する。そこで、ステップＳ２０４では放送局Ｇを２００８年６月１０日の１９時から２０時直前までの番組名称「ｃｄｅ」に放送局Ｃと共に登録すると共に、放送局Ｇに関するこの情報を系列別テーブル情報１５８から削除する。
【００４２】
なお、放送局Ｋについて第２系列のネット番組として番組名称「ｃｄｅ」という同一番組が系列別テーブル情報１５８に存在する。しかしながら、放送局Ｋについてのこのネット番組は次の２００８年６月１１日の２０時から２１時直前に放送される。すなわち、地域によって同一のネット番組でも異なった日時に放送局が放送することがあり、この場合、図１に示したＩＰ網１２１による番組の送出映像も該当する地域では放送に合わせた日時となる。したがって、この場合の放送局Ｋについての番組情報は、放送局Ｃが番組名称「ｃｄｅ」を登録したときの次のステップＳ２０４で削除されないことになる。
【００４３】
以上のようにして、この例でステップＳ２０５で放送局Ｐまでの処理が行われたら（Ｎ）、各ネット番組の表示内容を編集したネット番組制御信号１０９が生成される（ステップＳ２０６）。ここで表示内容の編集とは、図３あるいは図４におけるモニタ１２６に表示される放送局名等の表示項目の編集をいう。また、ある時間帯にすべての放送局（Ａ〜Ｐ）でネット番組が放送されていれば、これらネット番組の監視だけでよいが、一部の放送局でネット番組以外の番組を放送する場合もある。したがって、後者の場合には、これらのローカルな番組のＩＰ再送信システムによる送出映像もモニタ１２６に表示されるようにネット番組制御信号１０９を生成する。
【００４４】
このようにして生成されたネット番組制御信号１０９は図１あるいは図３に示すマルチビューワ１１１の制御端子１１２に供給されることになる（ステップＳ２０７）。
【００４５】
以上説明した本実施の形態によれば、従来行うことのできなかったＩＰ再送信システムの集中監視が可能になる。また、本実施の形態では、同一のネット番組が複数の放送局で放送されているときに、重複した送出映像や放送映像の表示を行わずにモニタ１２６で監視できることにした。これにより、特に多くの放送局の集中監視を行うとき、効率的な監視が可能になる。
【００４６】
＜発明の第１の変形例＞
【００４７】
図９は、本発明の実施の形態についての第１の変形例を示したものである。図９で図１と同一部分には同一の符合を付しており、これらの説明を適宜省略する。
【００４８】
この第１の変形例の放送波再送信システム集中監視装置１００Ａは、マルチビューワ１１１Ａが図１に示した実施の形態におけるマルチビューワ１１１に集中監視制御装置１０８Ａを組み込んだ回路構成となっている。すなわち、第１〜第Ｍの放送受信デコーダ１０５1〜１０５Mの出力は、マルチビューワ１１１Ａ内に入力された後に２分岐される。２分岐後の出力の一方がそれぞれ集中監視制御装置１０８Ａに入力される。２分岐後の出力の他方は、図１のマルチビューワ１１１の入力と同様に処理される。
【００４９】
この結果、第１〜第ＭのＴＳチューナ１０１1〜１０１Mの出力側の専用線１０３1〜１０３Mがそれぞれ分岐することなく集中監視部１０４Ａに接続可能になり、配線が単純化する。また、放送波再送信システム集中監視装置１００Ａの製造コストを削減することが可能になる。
【００５０】
＜発明の第２の変形例＞
【００５１】
図１０は、本発明の実施の形態についての第２の変形例を示したものである。図１０で図９と同一部分には同一の符合を付しており、これらの説明を適宜省略する。
【００５２】
この第２の変形例の放送波再送信システム集中監視装置１００Ｂでは、集中監視部１０４Ｂ内に図９に示したマルチビューワ１１１Ａに更に遅延調整回路３０１を内蔵したマルチビューワ１１１Ｂを使用している。遅延調整回路３０１は、第１〜第ＭのＴＳチューナ１０１1〜１０１Mを経てモニタ１２６に送出される放送映像と、ＩＰ網１２１を経てモニタ１２６に送出される送出映像との表示内容の時間軸上でのずれを遅延時間を調整することで解消させるように補正するためのものである。これにより、モニタ１２６では各放送局ごとに放送映像と送出映像の画像内容を正確に一致させることができ、映像の整合性のチェックが非常に容易になるという効果が発生する。
【００５３】
＜発明の第３の変形例＞
【００５４】
図１１は、本発明の実施の形態についての第３の変形例を示したものである。図１１で図１０と同一部分には同一の符合を付しており、これらの説明を適宜省略する。
【００５５】
この第３の変形例の放送波再送信システム集中監視装置１００Ｂでは、第１〜第Ｍの放送受信デコーダ１０５1〜１０５Mの出力側および第１〜第ＭのＩＰ再送信デコーダ１２３1〜１２３Mの出力側とマルチビューワ１１１Ｃの間に遅延調整回路３０１Ｃを介在させており、放送局ごとに画像フレーム単位で映像の表示タイミングの同期が図られるようになっている。遅延調整回路３０１Ｃは、放送局単位で放送映像と送出映像ならびにそれぞれに対応する音声データを比較して、両者が共に表示内容の時間軸上でのずれを解消するように遅延時間を自動調整する。その結果、調整が不成功となる放送局については警報通知信号３１１を発生させ、これをマルチビューワ１１１Ｃならびにスピーカ３１２に送出する。マルチビューワ１１１Ｃ内には、図９に示した第１の変形例の放送波再送信システム集中監視装置１００Ａと同様に集中監視制御装置１０８Ａが組み込まれている。
【００５６】
このような第３の変形例の放送波再送信システム集中監視装置１００Ｂでは、遅延調整回路３０１Ｃがそれぞれの放送局単位で放送映像データと送出映像データならびにそれぞれに対応する音声データを比較する。そして、時間的にこれらの差分が最小限となるように、ＴＳチューナ１０１1〜１０１M側とＩＰ網１２１側の信号伝達経路の違いによる映像の表示タイミングおよび音声の出力タイミングのずれを自動調整する。このとき、過去の遅延時間を基準に遅延時間を調整すれば調整の信頼性が向上する。また、このような遅延時間の調整によって映像の表示タイミングおよび音声の出力タイミングのずれが予め定めた遅延時間の範囲内で調整できない放送局の番組については、異なった番組が放送されている可能性があり、警報通知信号３１１が発生する。マルチビューワ１１１Ｃはこの警報通知信号３１１を入力して、該当する放送局の映像表示部分の表示を他と区別できるように変更して、オペレータに警告する。スピーカ３１２も同様の警告を音声あるいは警告音によって行うことになる。
【００５７】
したがって、第３の変形例の放送波再送信システム集中監視装置１００Ｂによれば、オペレータがモニタによって、放送局単位で放送映像と送出映像の比較を行うとき、何らかの障害が発生していない限りこれらの画像フレームが時間軸上で一致しているので、異同のチェックを容易に行うことができる。また、モニタ１２６に多くの放送局の放送映像と送出映像が分割表示されている状態でも、いずれかの放送局の画像に障害が発生しているときには視覚あるいは聴覚上の警告表示が行われる。したがって、監視作業の信頼性を向上させることができる。
【００５８】
なお、実施の形態ではモニタ１２６に送出映像および放送映像と放送局の文字等のテキスト情報をオーバーラップさせる形で表示したが、各映像の表示領域の枠外に帯状の表示領域を設けて、ここに必要な文字を表示するようにしてもよい。
【００５９】
また、図１０に示した放送波再送信システム集中監視装置１００Ｂでは、マルチビューワ１１１Ｂ内に遅延調整回路３０１を配置したが、これをたとえば第１〜第Ｍの放送受信デコーダ１０５1〜１０５Mの入力側あるいは出力側に配置するように配置してもよい。
【００６０】
更に本実施の形態および各変形例では地上デジタル放送とそのＩＰ再送信システムについて発明を説明したが、これに限るものではない。一般にテレビ塔から電波で放出される放送映像と、その再送信として有線で伝送する送出映像を比較して監視を行う場合すべてに本発明は適用可能である。
【図面の簡単な説明】
【００６１】
【図１】本発明の一実施の形態における放送波再送信システム集中監視装置の構成の概要を表わしたブロック図である。
【図２】本実施の形態で通常の時間帯における放送波再送信システム集中監視装置の動作を示した説明図である。
【図３】本実施の形態で各放送局がネット番組を放送している際の放送波再送信システム集中監視装置の動作を示した説明図である。
【図４】本実施の形態で各放送局がネット番組を放送している際のモニタの表示の他の例の平面図である。
【図５】本実施の形態におけるＳＩ情報抽出装置で抽出されるＳＩ情報の構成を表わした説明図である。
【図６】本実施の形態における集中監視制御装置の構成の概要を表わしたブロック図である。
【図７】本実施の形態の系列別テーブル作成部で作成した系列別テーブル情報の一例を表わした説明図である。
【図８】本実施の形態でネット番組制御信号の生成処理の様子を表わした流れ図である。
【図９】本発明の放送波再送信システム集中監視装置の第１の変形例を示すブロック図である。
【図１０】本発明の放送波再送信システム集中監視装置の第２の変形例を示すブロック図である。
【図１１】本発明の放送波再送信システム集中監視装置の第３の変形例を示すブロック図である。
【符号の説明】
【００６２】
１００、１００Ａ、１００Ｂ、１００Ｃ  放送波再送信システム集中監視装置
１０１  ＴＳチューナ
１０２  アンテナ
１０４、１０４Ａ、１０４Ｂ、１０４Ｃ  集中監視部
１０５  放送受信デコーダ
１０６  ＳＩ情報抽出装置
１０８、１０８Ａ  集中監視制御装置
１０９  ネット番組制御信号
１１１、１１１Ａ、１１１Ｂ、１１１Ｃ  マルチビューワ
１２１  ＩＰ網
１２３  ＩＰ再送信デコーダ
１２６  モニタ
１４３  ＢＩＴ
１４４  ＥＩＴ
１５１  ＢＩＴ・ＥＩＴ抽出部
１５３  系列別テーブル作成部
１５５  系列別テーブル情報格納部
１５９  ネット番組制御信号生成部
１６１  制御部
３０１、３０１Ｃ  遅延調整回路
３１２  スピーカ
【図１】
2009284184.tif 000003
【図２】
2009284184.tif 000004
【図３】
2009284184.tif 000005
【図４】
2009284184.tif 000006
【図５】
2009284184.tif 000007
【図６】
2009284184.tif 000008
【図７】
2009284184.tif 000009
【図８】
2009284184.tif 000010
【図９】
2009284184.tif 000011
【図１０】
2009284184.tif 000012
【図１１】
2009284184.tif 000013